(57)【要約】【課題】  再生中のＡＶコンテンツに対する再エンコードダビング処理はＡＶコンテンツの再生終了を待って行っていた。【解決手段】  再生中のＡＶコンテンツの再エンコードダビング処理を、ＡＶコンテンツ再生と同時に行う第一の再エンコードダビング処理と、該ＡＶコンテンツの再生終了後に、該ＡＶコンテンツの先頭から該ＡＶコンテンツの再生中の再エンコードダビングを開始した位置までの区間に対して行なう第二のダビング処理に分割して行なう。【選択図】  図７
2005341431.tif 000002
【特許請求の範囲】
【請求項１】
内蔵型または可搬型の第一記録媒体と可搬型の第二記録媒体を有しダビング機能を備える録画再生装置において、
再エンコード形式のダビング条件を設定する再エンコードダビング設定手段と、
録画再生装置の再生状態を判断する再生状態判断手段と、
前記再エンコードダビング設定手段と前記再生状態判断手段よりＡＶコンテンツの再生状態での再エンコードダビング設定操作が行われた場合にはＡＶコンテンツの現在再生中位置からの再エンコードダビングの開始指示を行う分割再エンコードダビング制御手段と、
を備えることを特徴とする視聴中ダビング制御装置。
【請求項２】
前記分割再エンコードダビング制御手段は更に、
ＡＶコンテンツの再生状態での再エンコードダビング設定操作が行われた場合には、少なくとも前記再エンコードダビング設定操作によるＡＶコンテンツ視聴中の再エンコードダビング開始位置とダビング先記録媒体を含む分割ダビング情報を生成する機能を備えることを特徴とする請求項１記載の視聴中ダビング制御装置。
【請求項３】
前記分割再エンコードダビング制御手段は更に、
再生中に再エンコードダビング設定操作が行われたＡＶコンテンツ再生終了時に、前記分割ダビング情報に退避された情報に従って、該ＡＶコンテンツ先頭から該ＡＶコンテンツの視聴中の再エンコードダビングを開始した再生位置までの区間に対するダビング処理の開始指示を行う機能を備えることを特徴とする請求項１記載の視聴中ダビング制御装置。
【請求項４】
前記分割再エンコードダビング制御手段は更に、
再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの結合編集を行う機能を備えることを特徴とする請求項１記載の視聴中ダビング制御装置。
【請求項５】
前記分割再エンコードダビング制御手段は更に、
再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの再生制御を管理するプレイリスト情報の編集機能を備えることを特徴とする請求項４記載の視聴中ダビング制御装置。
【請求項６】
前記分割再エンコードダビング制御手段は更に、
再生中に再エンコードダビング設定操作が行われている間は、ＡＶコンテンツの再生をポーズ状態に設定する機能を備えることを特徴とする請求項５記載の視聴中ダビング制御装置。
【請求項７】
前記分割再エンコードダビング制御手段は更に、
再生中に再エンコードダビング設定操作が行われている間は、ＡＶコンテンツの再生をポーズ状態に設定し、再エンコードダビング設定操作が完了したらＡＶコンテンツの再生を予め設定する所定の時間分遡った再生位置より再開する機能を備えることを特徴とする請求項６記載の視聴中ダビング制御装置。
【請求項８】
内蔵型または可搬型の第一記録媒体と可搬型の第二記録媒体を有しダビング機能を備える録画再生装置において、
再エンコード形式のダビング条件を設定する再エンコードダビング設定ステップと、
録画再生装置の再生状態を判断する再生状態判断ステップと、
前記再エンコードダビング設定ステップと前記再生状態判断ステップよりＡＶコンテンツの再生状態での再エンコードダビング設定操作が行われた場合にはＡＶコンテンツの現在再生中位置からの再エンコードダビングの開始指示を行う分割再エンコードダビング制御ステップと、
を備えることを特徴とする視聴中ダビング制御方法。
【請求項９】
前記分割再エンコードダビング制御ステップは更に、
ＡＶコンテンツの再生状態での再エンコードダビング設定操作が行われた場合には、少なくとも前記再エンコードダビング設定操作によるＡＶコンテンツ視聴中の再エンコードダビング開始位置とダビング先記録媒体を含む分割ダビング情報を生成する機能を備えることを特徴とする請求項８記載の視聴中ダビング制御方法。
【請求項１０】
前記分割再エンコードダビング制御ステップは更に、
再生中に再エンコードダビング設定操作が行われたＡＶコンテンツ再生終了時に、前記分割ダビング情報に退避された情報に従って、該ＡＶコンテンツ先頭から該ＡＶコンテンツの視聴中の再エンコードダビングを開始した再生位置までの区間に対するダビング処理の開始指示を行う機能を備えることを特徴とする請求項８記載の視聴中ダビング制御方法。
【請求項１１】
前記分割再エンコードダビング制御ステップは更に、
再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの結合編集を行う機能を備えることを特徴とする請求項８記載の視聴中ダビング制御方法。
【請求項１２】
前記分割再エンコードダビング制御ステップは更に、
再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの再生制御を管理するプレイリスト情報の編集機能を備えることを特徴とする請求項１１記載の視聴中ダビング制御方法。
【請求項１３】
前記分割再エンコードダビング制御ステップは更に、
再生中に再エンコードダビング設定操作が行われている間は、ＡＶコンテンツの再生をポーズ状態に設定する機能を備えることを特徴とする請求項１２記載の視聴中ダビング制御方法。
【請求項１４】
前記分割再エンコードダビング制御ステップは更に、
再生中に再エンコードダビング設定操作が行われている間は、ＡＶコンテンツの再生をポーズ状態に設定し、再エンコードダビング設定操作が完了したらＡＶコンテンツの再生を予め設定する所定の時間分遡った再生位置より再開する機能を備えることを特徴とする請求項１３記載の視聴中ダビング制御方法。
【請求項１５】
請求項８から請求項１４のいずれか一つに記載の視聴中ダビング制御方法としてコンピュータを機能させるための視聴中ダビング制御プログラム。
【請求項１６】
前記請求項１５に記載のコンピュータプログラムを記録したことを特徴とするコンピュータ読み取り可能な記録媒体。
【発明の詳細な説明】
【技術分野】
【０００１】
本発明は２つ以上の記録媒体を備えた録画再生装置、又は２つ以上の記録媒体を備えた録画再生システムに関し、ＡＶコンテンツ再生中に再エンコード形式によるダビング制御を行う機能に関する。
【背景技術】
【０００２】
デジタル多用途ディスク（以後ＤＶＤと呼ぶ）レコーダ及びハードディスクドライブ（以後ＨＤＤと呼ぶ）レコーダが、家庭用ＶＴＲの後継機として普及しつつある。記録媒体としてのＤＶＤ、ＨＤＤにはそれぞれ一長一短があり、一言で優劣をつけるのは難しい。このことからメーカー各社は、ＤＶＤレコーダとＨＤＤレコーダの両者の機能を合わせ持つ融合型レコーダを市場に投入している。
融合型レコーダの利用形態としては、内蔵型記録媒体のＨＤＤを一次記録媒体として使用し、可搬型記録媒体のＤＶＤ−ＲＡＭを保存用とする使い分けが一般的である。ここで問題になるのが、ＨＤＤに録画した大量のＡＶコンテンツの中からどれを保存用として選択するかの判断である。デジタル放送やＥＰＧサービスの普及によって、ユーザは放送番組の付帯情報から保存すべきか否かをある程度判断することはできる。
しかしながら、付帯情報のみでは判断出来ない場合もあり、ＡＶコンテンツを視聴した上で判断を下す場面は今後も無くなることは無いと考えられる。このようなニーズに応えて融合型レコーダではＡＶコンテンツ視聴中に視聴中のＡＶコンテンツのファイルコピー形式によるダビング機能が備わっている。
また、ＣＤ−ＤＡ（デジタルオーディオコンパクトディスク）を再生中に、ダビング操作を行った場合に再生中のトラックのダビング操作を素早く開始するための文献として以下のものがある（特許文献１参照）。
【特許文献１】特開２００２−２５１８３号公報
【発明の開示】
【発明が解決しようとする課題】
【０００３】
前記ＡＶコンテンツ視聴中に視聴中のＡＶコンテンツのダビング処理を行う構成は、ダビング形式としてデコード及び再エンコード処理を行わないファイルコピー形式に限定されている。これは通常レコーダには、実時間デコードの機能を持つデコード処理用ＬＳＩが１セットのみ搭載されている為である。レコーダのデコード機能の通常用途はＡＶコンテンツの再生視聴であるから、ダビング用のＬＳＩやバッファメモリを増やすことはコスト面からも得策ではない。
しかしながら、視聴中という限定はあるものの、ダビング形式がファイルコピー形式に限定されることは、ユーザ側に制約を強いることとなる。
例えば、記録先媒体の空容量が不足している場合、ファイルコピー形式のダビングではダビング設定そのものが無効となる。ユーザは視聴が終わるのを待って、あらためて記録先媒体に納まる様に、再エンコード形式のダビングのビットレートを調整する操作を行なう必要がある。視聴中にＡＶコンテンツの保存を思い立ったとしても、視聴後にはダビング設定を忘れている場合も起こりえる。ユーザの立場としては、やはり、後刻に行なわねばならない操作を忘れずに覚えておくことよりも、操作を決意した時の設定が有効に機能することが好ましい。
【０００４】
図６に従来例における視聴中の再エンコードダビングの操作シーケンスの概要を示す。本図において、時間経過は上から下へ流れるものとする。
ユーザはＨＤＤに記録済みのＡＶコンテンツを視聴中に、視聴中のＡＶコンテンツが保存に値するものと判断しダビング操作を行なう。ただし、保存先記録媒体の制約から再エンコード形式によるダビング操作が必要であるため、ユーザはやむなく、該ＡＶコンテンツの再生が終わるのを待ち、再生終了状態を確認後、所望の再エンコード形式のダビングを行なう。この状況は単に所要時間がかかるだけでなく、再エンコードダビング処理時にデコード機能が使われる為、その間、ユーザは他のＡＶコンテンツの視聴が行えないなどの制約も受けることとなる。
また、特許文献１に開示された映像音声記録再生装置の構成をとった場合、再生中の位置が極めてコンテンツ開始位置に近い場合以外は、再生中のダビング操作によって視聴が中断される仕様となるため、ユーザにとっては好ましくない。
【０００５】
本発明は、前記従来の課題を解決するもので、ＡＶコンテンツ視聴中のダビング設定操作において、再エンコードダビングを含む設定を有効とし、再エンコードダビングによるダビング操作が確実に行われ、かつ再エンコードダビング時間を短縮するように制御する機能を提供することを目的とする。
【課題を解決するための手段】
【０００６】
前記従来の課題を解決するために、本発明の視聴中ダビング制御装置は、再エンコード形式のダビング条件を設定する再エンコードダビング設定手段（２００）と、録画再生装置の再生状態を判断する再生状態判断手段（２０１）と、前記再エンコードダビング設定手段と前記再生状態判断手段よりＡＶコンテンツの再生状態での再エンコードダビング設定操作が行われた場合にはＡＶコンテンツの現在再生中位置からの再エンコードダビングの開始指示を行う分割再エンコードダビング制御手段（２０２）を備えることを特徴とする。
【０００７】
また、本発明の視聴中ダビング制御装置は、前記分割再エンコードダビング制御手段は更に、ＡＶコンテンツの再生状態での再エンコードダビング設定操作が行われた場合には、少なくとも前記再エンコードダビング設定操作によるＡＶコンテンツ視聴中の再エンコードダビング開始位置とダビング先記録媒体を含む分割ダビング情報（２０３）を生成する機能を備えることを特徴とする。
【０００８】
また、本発明の視聴中ダビング制御装置は、前記分割再エンコードダビング制御手段は更に、再生中に再エンコードダビング設定操作が行われたＡＶコンテンツ再生終了時に、前記分割ダビング情報に退避された情報に従って、該ＡＶコンテンツ先頭から該ＡＶコンテンツの視聴中の再エンコードダビングを開始した再生位置までの区間に対するダビング処理の開始指示を行う機能を備えることを特徴とする。
【０００９】
また、本発明の視聴中ダビング制御装置は、前記分割再エンコードダビング制御手段は更に、再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの結合編集を行う機能を備えることを特徴とする。
【００１０】
また、本発明の視聴中ダビング制御装置は、前記分割再エンコードダビング制御手段は更に、再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの再生制御を管理するプレイリスト情報の編集機能を備えることを特徴とする。
【００１１】
また、本発明の視聴中ダビング制御装置は、前記分割再エンコードダビング制御手段は更に、再生中に再エンコードダビング設定操作が行われている間は、ＡＶコンテンツの再生をポーズ状態に設定する機能を備えることを特徴とする。
【００１２】
また、本発明の視聴中ダビング制御装置は、前記分割再エンコードダビング制御手段は更に、再生中に再エンコードダビング設定操作が行われている間は、ＡＶコンテンツの再生をポーズ状態に設定し、再エンコードダビング設定操作が完了したらＡＶコンテンツの再生を予め設定する所定の時間分遡った再生位置より再開する機能を備えることを特徴とする。
【００１３】
また、本発明の視聴中ダビング制御方法は、再エンコード形式のダビング条件を設定する再エンコードダビング設定ステップと、録画再生装置の再生状態を判断する再生状態判断ステップと、前記再エンコードダビング設定ステップと前記再生状態判断ステップよりＡＶコンテンツの再生状態での再エンコードダビング設定操作が行われた場合にはＡＶコンテンツの現在再生中位置からの再エンコードダビングの開始指示を行う分割再エンコードダビング制御ステップを備えることを特徴とする。
【００１４】
また、本発明の視聴中ダビング制御方法は、前記分割再エンコードダビング制御ステップは更に、ＡＶコンテンツの再生状態での再エンコードダビング設定操作が行われた場合には、少なくとも前記再エンコードダビング設定操作によるＡＶコンテンツ視聴中の再エンコードダビング開始位置とダビング先記録媒体を含む分割ダビング情報を生成する機能を備えることを特徴とする。
【００１５】
また、本発明の視聴中ダビング制御方法は、前記分割再エンコードダビング制御ステップは更に、再生中に再エンコードダビング設定操作が行われたＡＶコンテンツ再生終了時に、前記分割ダビング情報に退避された情報に従って、該ＡＶコンテンツ先頭から該ＡＶコンテンツの視聴中の再エンコードダビングを開始した再生位置までの区間に対するダビング処理の開始指示を行う機能を備えることを特徴とする。
【００１６】
また、本発明の視聴中ダビング制御方法は、前記分割再エンコードダビング制御ステップは更に、再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの結合編集を行う機能を備えることを特徴とする。
【００１７】
また、本発明の視聴中ダビング制御方法は、前記分割再エンコードダビング制御ステップは更に、再生中に再エンコードダビング設定操作が行われたＡＶコンテンツ再生終了時に、前記分割ダビング情報に退避された情報に従って、ＡＶコンテンツ再生終了時にダビングしたＡＶコンテンツと、ＡＶコンテンツ再生中にダビングしたＡＶコンテンツの再生制御を管理するプレイリスト情報の編集機能を備えることを特徴とする。
【００１８】
また、本発明の視聴中ダビング制御方法は、前記分割再エンコードダビング制御ステップは更に、再生中に再エンコードダビング設定操作が行われている間は、ＡＶコンテンツの再生をポーズ状態に設定する機能を備えることを特徴とする。
【００１９】
また、本発明の視聴中ダビング制御方法は、前記分割再エンコードダビング制御ステップは更に、再生中に再エンコードダビング設定操作が行われている間は、ＡＶコンテンツの再生をポーズ状態に設定し、再エンコードダビング設定操作が完了したらＡＶコンテンツの再生を予め設定する所定の時間分遡った再生位置より再開する機能を備えることを特徴とする。
【００２０】
また、本発明の視聴中ダビング制御プログラムは、請求項８から請求項１４のいずれか一つに記載の視聴中ダビング制御方法としてコンピュータを機能させることを特徴とする。
【００２１】
また、本発明のコンピュータ読み取り可能な記録媒体は、前記請求項１５に記載のコンピュータプログラムを記録したことを特徴とする。
【発明の効果】
【００２２】
本発明によれば、ＡＶコンテンツの再生中に再エンコードダビング指示が行われた位置から該ＡＶコンテンツ末尾までの再エンコードダビングと、該ＡＶコンテンツ先頭から再エンコードダビング指示が行われた位置までの再エンコードダビングを行うことにより、ＡＶコンテンツの視聴中であっても、視聴中のＡＶコンテンツの再エンコードダビングを並行して行うことができる。また、ＡＶコンテンツ視聴中に再エンコードダビングできなかった部分についても、ＡＶコンテンツの視聴後にダビング処理を開始することができる。この結果、従来例よりも、再エンコードダビングの時間を短縮すると同時に、ＡＶコンテンツ視聴後のダビング設定操作が不要となるので、ダビング操作忘れといった操作ミスを回避することができる。
【００２３】
また、本発明によれば、分割して再エンコードダビングされたＡＶコンテンツを、纏まったＡＶコンテンツとして視聴することができる。
【００２４】
また、本発明によれば、再エンコードダビングの設定操作によって、視聴が一時中断された場合であっても、ユーザは中断前の再生を再確認しやすくなることで、中断による影響が緩和された状態で視聴を継続することができる。
【００２５】
このように、本発明によれば、ＡＶコンテンツの視聴中であっても、視聴中のＡＶコンテンツの再エンコードダビングを並行して行うことができる。また、ＡＶコンテンツ視聴中に再エンコードダビングできなかった部分についてもＡＶコンテンツの視聴後にダビング処理を開始することができる。
【発明を実施するための最良の形態】
【００２６】
以下本発明の実施の形態について、図面を参照しながら説明する。
（実施の形態１）
第一実施例はＡＶコンテンツ視聴中の再エンコードダビング制御と、ＡＶコンテンツ視聴後の再エンコード補足ダビング制御に関するものである。
図７は、本発明の第一実施例に係るＡＶコンテンツ視聴中の再エンコードダビングと、ＡＶコンテンツ視聴後の再エンコード補足ダビングの概要を示す図である。
従来例によるＡＶコンテンツ視聴後の再エンコードダビング制御の状態を示した図６と比較して明らかな様に、従来例ではＡＶコンテンツの視聴が完了し、デコードＬＳＩが解放された後で、再エンコードダビング設定と再エンコードダビング処理を行っていた。
一方、本実施の形態では、図７に示す様に、ＡＶコンテンツ視聴中に再エンコードダビング設定操作が行われた位置から、ＡＶコンテンツ視聴と並行した再エンコードダビングを行い、ＡＶコンテンツ視聴完了後にダビングが完了していないＡＶコンテンツ前半部の補足ダビングを行っている。
本発明の視聴中ダビング制御装置は、分割再エンコードダビング制御手段によって、視聴中に開始した再エンコードダビングの開始位置を分割ダビング情報に退避し、視聴中の再エンコードダビングは視聴用にデコードされたＡＶデータを再エンコードし、視聴後の再エンコードダビングは分割ダビング情報を参照して実行制御することができる。
【００２７】
（装置の構成）
次に、上記の分割再エンコードダビング制御手段を実行する視聴中ダビング制御装置の構成について説明する。
図１は、本発明の実施の形態１の構成を示す。この録画再生装置には、アンテナ１０２及びモニター１０３が接続されている。この録画再生装置は、アンテナ１０２で受信された電波から得られた映像及び音声を記録媒体１３４に記録し、記録された映像をモニター１０３上で再生することができる。
録画再生装置のチューナー１１２は、アンテナ１０２で受信された電波から目的のチャンネルを選局し、そのチャンネルの映像及び音声をエンコーダ１１３に与える。エンコーダ１１３は、与えられた映像及び音声を所定の記録形式で符号化する。エンコーダ１１３により符号化されたデータは、記録媒体１３４に記録される。デコーダ１１６は、記録媒体１３４に記録されたデータを復号化し、出力制御部１１５は出力対象となるコンテンツ保護情報に応じたコピー制限情報の重畳制御を行い、復号化した映像のデータをオーバーレイ部１１４に出力する。
【００２８】
次に、ＯＳＤ表示部１１７は、録画再生装置の動作設定や状況を表す表示データを作成する。オーバーレイ部１１４は、デコーダ１１６からの映像のデータにＯＳＤ表示部１１７からの表示データを合成した所定の表示形式の映像を生成する。オーバーレイ部１１４により生成された映像が、モニター１０３上に表示される。
モニター１０３に表示された映像を見る指示やその他の録画再生装置に対する指示をユーザが行うのに、例えばリモコン１０１が用いられる。ユーザがリモコン１０１を用いて指示を入力すると、ユーザ入力部１１１が、リモコン１０１からの入力を受け付け、その内容をＣＰＵ１３１に伝える。ＣＰＵ１３１は、バス１２０を通じて行われるデータ転送や録画再生装置における各種の処理を制御する。ＲＯＭ１３２には、プログラムが記録されており、ＣＰＵ１３１は、ＲＡＭ１３３を用いながら、このプログラムに従って動作する。
ＲＯＭ１３２に記録されたプログラムには、本発明によって提供される分割再エンコードダビング制御プログラムが含まれる。ＣＰＵ１３１やＲＯＭ１３２、ＲＡＭ１３３などによって構成される録画再生装置内のコンピュータと、この分割再エンコードダビング制御プログラムが協働することによって、録画再生装置は、本発明によって提供される視聴中ダビング制御装置として機能する。
【００２９】
（装置の動作）
以上のように構成された視聴中ダビング制御装置の分割再エンコードダビング制御動作について説明する。
図１８（ａ）に、本発明の第一実施例に係る視聴中ダビング制御装置の分割再エンコードダビング制御で用いる分割ダビング情報のフォーマット構造を示す。
ここで、分割ダビング情報は、ダビング元コンテンツ情報と、視聴中ダビング情報と、ダビング画質情報で構成される。
ダビング元コンテンツ情報は、ダビング対象となるＡＶコンテンツを一意に識別する為の情報が退避され、ＡＶコンテンツが記録されている媒体を一意に識別するための記録先媒体識別子と、記録先媒体内でのＡＶコンテンツを一意に識別するためのコンテンツ識別子で構成される。本実施例においては、現在再生中のＡＶコンテンツに関するこれらの情報が退避される。
視聴中ダビング情報は、現在再生中のＡＶコンテンツに対して設定操作された情報が退避される。再エンコードダビングを開始した位置情報として、該ＡＶコンテンツ先頭からの相対位置情報が時分秒形式で退避され、該ＡＶコンテンツのダビング先記録媒体を一意に識別するための記録先媒体識別子が退避される。
ダビング画質情報は再エンコードダビング時に設定するビートレット値を設定する。
【００３０】
図１９（ａ）にＡＶコンテンツ管理情報の概略構造を示す。
ＡＶコンテンツ管理情報は各記録媒体に退避される情報で、記録媒体の記録状態を管理する情報であり、少なくとも記録媒体の識別情報、記録媒体の空き容量、記録媒体に記録可能なＡＶコンテンツ数の最大値、記録媒体に記録可能な実体プレイリスト数の最大値、記録媒体に記録可能な実体ストリームファイル数の最大値、記録媒体に記録されているＡＶコンテンツ数、記録媒体に記録されているＡＶコンテンツの実体プレイリスト数、記録媒体に記録されているＡＶコンテンツの実体ストリームファイル数、記録媒体に記録されているＡＶコンテンツの実体プレイリスト数分の実体プレイリスト情報、を含んだ構成である。
なお、各最大値の値については、記録媒体の記録フォーマット識別子を別途退避しておき、予め記録フォーマットで規定される規格値を引用する方法でも良い。
【００３１】
図１９（ｂ）に、ＡＶコンテンツ管理情報内の実体プレイリスト情報の概略構造を示す。
実体プレイリスト情報は記録媒体に退避される情報で、エンドユーザの操作対象となるＡＶコンテンツを管理する情報であり、少なくとも実体プレイリスト情報単位の固有の識別子であるコンテンツ識別子と、再生区間数と、再生区間毎の実体ストリームファイルの先頭位置と末尾位置情報を含んだ構成である。
コンテンツ識別子デフォルト値としてコンテンツの作成順にシーケンシャルな値を設定する。先頭位置は実体ＡＶストリームデータが記録されているＣｌｉｐファイル識別子と、該Ｃｌｉｐファイル内に記録されたＡＶストリームデータのＣｌｉｐファイル先頭からの相対位置を時分秒で管理する情報から構成される。末尾位置も開始位置と同様の構成を持つ。
実体ストリームファイルはＭＰＥＧ２トランスポートストリームの構造に準ずるものとする。ＡＶコンテンツデータは時間軸上に展開され、実体プレイリスト情報は実体ストリームファイル内のアクセス位置を時分秒で指定する。
【００３２】
以上示したように、図１８（ａ）で示した分割ダビング情報と、図１９で示したＡＶコンテンツ管理情報は独立しているが、両情報間で共通な情報として定義する記録先媒体識別子とコンテンツ識別子を、同期して管理することにより、分割ダビング情報に退避された情報を元にＡＶコンテンツ管理情報をアクセスし、ＡＶコンテンツに対する編集操作を行うことができる。
【００３３】
図８は、ＡＶコンテンツ視聴中にユーザが視聴内容から再エンコードダビングを思い立ち、再エンコードダビング設定を行なった時の状態を示す。ユーザはＨＤＤ（Ｈ−０１）上に記録されたＡＶコンテンツ（ＲＰＬ−１）を視聴中、３０分経過した時点で、ＤＶＤ−ＲＡＭ（Ｄ−０１）へのダビングを希望し、再エンコードダビング制御手段によって、図１８（ａ）で示した分割ダビング情報を作成した状況を示す。
但し、ダビング元のＡＶコンテンツの容量が６．７５ＧＢ（１０Ｍｂｐｓで９０分のＡＶコンテンツ）である為、４．７ＧＢのブランク状態のＤＶＤ−ＲＡＭに納めるために、５Ｍｂｐｓでの再エンコードダビングの設定を決心した状況とする。
この時の、分割ダビング情報の内容を図１８（ｂ）に示す。
また、ブランク状態のＤＶＤ−ＲＡＭのＡＶコンテンツ管理情報の内容を図２０（ａ）に示す。
図９は、再エンコードダビングの設定条件に基づいて、現在視聴中の録画装置内でデコードされたデータを、再エンコードしてＤＶＤ−ＲＡＭへの再エンコードダビングを行い、ＡＶコンテンツの再生終了と共に、再エンコードダビングが完了した状況を示す。
この時の、分割ダビング情報の内容は図１８（ｂ）と同一である。
ＡＶコンテンツのダビングが完了したＤＶＤ−ＲＡＭのＡＶコンテンツ管理情報の内容を図２０（ｂ）に示す。
図１０は、図８の状態で作成した分割ダビング情報に基づいて、先ほどまで視聴していたＡＶコンテンツの未ダビング部分（前半３０分）の補足ダビングが完了した状態である。ダビング元となるＡＶコンテンツは、分割ダビング情報に退避されたＡＶコンテンツの先頭から、視聴中ダビング情報の開始位置に退避された００：３０：００（先頭から３０分経過位置）迄の区間が対象となる。
この時の、分割ダビング情報の内容は図１８（ｂ）と同一である。
ＡＶコンテンツの補足ダビングが完了したＤＶＤ−ＲＡＭのＡＶコンテンツ管理情報の内容を図２１（ａ）に示す。
【００３４】
以上の様に構成された視聴中ダビング制御装置の分割再エンコードダビング制御における動作について説明する。
図１６は、ＡＶコンテンツ視聴中の再エンコードダビング設定が行われたことの通知を受けて行う分割再エンコードダビング制御処理のフローチャートである。
先ず、視聴中ダビング制御装置は、ＡＶコンテンツ視聴中に、再エンコードダビング設定を行なうユーザ操作を検知したら（ステップＳ３０００）、再エンコードダビングの設定処理を行う（ステップＳ３００１）。
次に、設定された再エンコードダビングのデータ、及び現在再生中のＡＶコンテンツの再生位置を分割ダビング情報に退避し（ステップＳ３００２）、再エンコードダビング処理を開始する（ステップＳ３００３）。ステップＳ３００１における再エンコードダビング設定処理時の設定画面の一例を図１１に示す。分割ダビング情報のフォーマット構造は図１８（ａ）に示したとおりである。また、分割ダビング情報の図８の状態における内容は図１８（ｂ）に示したとおりである。本実施例での再エンコードダビングは実時間ダビングを行なうものとし、ＡＶコンテンツの再生完了と同時に再エンコードダビングが完了する（ステップＳ３００４）。ＡＶコンテンツ再生と並行して、ＤＶＤ−ＲＡＭへ行なった再エンコードダビングが完了した図９の状態における、ＤＶＤ−ＲＡＭのＡＶコンテンツ管理情報の内容は図２０（ｂ）に示したとおりである。
【００３５】
次に、分割ダビング情報に退避された内容を読み出し（ステップＳ３００５）、再生途中からの再エンコードダビングを行ったＡＶコンテンツの残り部分のダビングを行なう（ステップＳ３００６）。ダビング対象範囲は、分割ダビング情報に退避したＡＶコンテンツ先頭位置から、視聴中ダビング情報の開始位置までの区間である。ＡＶコンテンツ再生終了後のダビングが完了した図１０の状態における、ＤＶＤ−ＲＡＭのＡＶコンテンツ管理情報の内容は図２１（ａ）に示した通りである。
【００３６】
以上のようにして、本発明の第一実施例では、従来例と異なり、ＡＶコンテンツ視聴中の再エンコードダビングについては、ダビング設定を行った時の再生位置からＡＶコンテンツの再生が完了する迄のダビング処理と、ＡＶコンテンツ視聴完了後に、該ＡＶコンテンツの先頭からＡＶコンテンツ視聴中のダビング処理を開始した位置迄を対象とする補足ダビング処理に分割したダビングを行なうことができる。
その結果、ユーザはＡＶコンテンツの視聴を待たずとも、再エンコードダビング操作を行うことができ、また、ＡＶコンテンツの再生と並行して再エンコードダビング処理を行うため、再エンコードダビング全体の所要時間も短縮することができる。
【００３７】
（実施の形態２）
第二実施例はＡＶコンテンツ視聴中の再エンコードダビング処理でダビングされたＡＶコンテンツ後半部と、ＡＶコンテンツ視聴後の補足ダビング処理でダビングされたＡＶコンテンツ前半部の統合管理に関するものである。
図１２に、本実施の形態による分割ダビング後のＡＶコンテンツの結合制御処理の概要を示す。
すなわち、図７に示した実施の形態１と比較して明らかな様に、実施の形態１では、ＡＶコンテンツ視聴中に並行して行なったＡＶコンテンツ後半部の再エンコードダビングコンテンツと、ＡＶコンテンツ視聴終了後に行なったＡＶコンテンツ前半部の補足ダビングコンテンツが、別々のコンテンツとして生成されていたが、本実施の形態ではこれのコンテンツを単独のコンテンツとして管理する為の制御を行う。
【００３８】
（装置の動作）
以上のように構成された視聴中ダビング制御装置の分割再エンコードダビング制御動作について説明する。
図２２（ａ）に、本発明の第二実施例に係る視聴中ダビング制御装置の分割再エンコードダビング制御で用いる分割ダビング情報のフォーマット構造を示す。
基本的な構成は、実施の形態１において図１８（ａ）で示した内容と同じである。ただし、ＡＶコンテンツ視聴中に並行して行なったＡＶコンテンツ後半部の再エンコードダビングコンテンツと、ＡＶコンテンツ視聴終了後に行なったＡＶコンテンツ前半部の補足ダビングコンテンツの識別情報が追加されている。
これらは、本実施例において、これらダビング先のコンテンツを結合管理する際の編集対象データとして参照される。
本実施例に係る視聴中ダビング制御装置の構成は、第１実施例と同一である。
但し、ＲＯＭに内蔵される制御プログラムは、第１実施例のものと異なり、分割再エンコードダビング制御後にコンテンツ統合処理を行う構成をとる。
【００３９】
図１７に本発明の第２実施例における分割再エンコードダビング制御の為のフローチャートを示す。
先ず、視聴中ダビング制御装置は、ＡＶコンテンツ視聴中に、再エンコードダビング設定を行なうユーザ操作を検知したら（ステップＳ３１００）、再エンコードダビングの設定処理を行う（ステップＳ３１０１）。
次に、設定された再エンコードダビングのデータ、及び現在再生中のＡＶコンテンツの再生位置を分割ダビング情報に退避し（ステップＳ３１０２）、再エンコードダビング処理を開始する（ステップＳ３１０３）。
分割ダビング情報のフォーマット構造は図２２（ａ）に示したとおりである。但し、この時点では、ダビング先コンテンツ識別子情報は設定しない。本パラメータは再エンコードダビング処理が正常終了した時点で設定する。
本実施例での再エンコードダビングは実時間ダビングを行なうものとし、ＡＶコンテンツの再生完了と同時に再エンコードダビングが完了する（ステップＳ３１０４）。
以上、ＡＶコンテンツ視聴中の再エンコードダビングが完了した時点で、図２２（ａ）に示した分割ダビング情報を更新する（ステップＳ３１０５）。更新パラメータは再エンコードダビング処理が正常終了したダビング先のコンテンツ識別子を退避する。
この時点での分割ダビング情報の内容例を図２２（ｂ）に示す。
【００４０】
次に、分割ダビング情報に退避された内容を読み出し（ステップＳ３１０６）、再生途中からの再エンコードダビングを行ったＡＶコンテンツの残り部分のダビングを行う（ステップＳ３１０７）。
ダビング対象範囲は、分割ダビング情報に退避したＡＶコンテンツ先頭位置から、視聴中ダビング情報の開始位置までの区間である。
次に、ステップＳ３００７で完了したダビング先のコンテンツ識別子を分割ダビング情報に退避する（ステップＳ３１０８）。
この時点での分割ダビング情報の内容例を図２２（ｃ）に示す。またこの状態例に対応する、ダビング先であるＤＶＤ−ＲＡＭのコンテンツ構成の概略状態を図１３（ａ）に、ＡＶコンテンツ管理情報の状態を図２１（ａ）に示す。
次に、ステップＳ３１０８で編集した分割ダビング情報の内容を読み出し、今回の分割ダビングで作成されたダビング先コンテンツ情報のコンテンツ識別子−１、コンテンツ識別子−２で識別されるＡＶコンテンツの結合編集を行う。ただし、ダビングが完了した順番はコンテンツ識別子−１、コンテンツ識別子−２の順であるが、結合時のコンテンツ順番はこの逆となる。
ダビングコンテンツを結合した状態の、ダビング先であるＤＶＤ−ＲＡＭのコンテンツ構成の概略状態を図１３（ｂ）に、ＡＶコンテンツ管理情報の状態を図２３（ａ）に示す。
なお、ダビング先コンテンツの統合については、上記のように実体プレイリスト情報を結合する方法以外に、仮想プレイリスト情報を用いた編集を行っても良い。
仮想プレイリスト情報は実体プレイリストと同様の構成を持つが、実体ストリームファイルのストリーム部分を共有しない点が実体ストリーム情報と異なる。
仮想プレイリスト情報を利用して、分割ダビングされたＡＶコンテンツを統合管理した概略状態を図１３（ｃ）に、ＡＶコンテンツ管理情報の状態を図２４（ａ）に示す。
【００４１】
以上のようにして、本発明の第二実施例では、第一実施例と異なり、ＡＶコンテンツ視聴中に並行して行なったＡＶコンテンツ後半部の再エンコードダビングコンテンツと、ＡＶコンテンツ視聴終了後に行なったＡＶコンテンツ前半部の補足ダビングコンテンツを統合して管理できる。
第一実施例の再エンコードダビング時間の短縮効果に加えて、再エンコードダビング後の操作性を向上させることができる。
【００４２】
（実施の形態３）
第三実施例はＡＶコンテンツ視聴中の再エンコードダビング設定操作時のＡＶコンテンツ再生制御に関するものである。
図１４に、本実施の形態によるＡＶコンテンツ視聴中の再エンコードダビング設定時にＡＶコンテンツ再生を一時停止状態に設定する処理の概要を示す。
すなわち、図８に示した実施の形態１と比較して明らかな様に、再エンコードダビング操作時に、ユーザがＡＶコンテンツの視聴に集中できない状態を救済する制御を行う。
【００４３】
（装置の動作）
再エンコードダビング設定画面が、全画面を占有しないダイアログ画面方式であれば、ユーザは設定操作を行いつつ、背景画面のＡＶコンテンツを視聴することも可能である。
しかしながら、再エンコードダビングの設定操作は、ファイル形式のダビングと異なり、ダビング先記録媒体の空容量に応じた適切なビットレートの選択、あるいは、記録先媒体に応じた適切な記録フォーマットの指定等、試行錯誤時間を含む要素があり、その間、ユーザがＡＶコンテンツ再生内容に集中できない状態になり易いと言える。
本実施の形態においては、実施の形態１または２で示した、再エンコードダビング設定操作開始時にダビング元ＡＶコンテンツの再生を一時停止状態に設定し、再エンコードダビング設定操作終了時にダビング元ＡＶコンテンツの再生の一時停止状態を解除する。
また、再エンコードダビング設定操作終了時のＡＶコンテンツの再生を再開する位置については、一時停止した再生位置から少し遡った箇所から再開しても良い。遡る値については、本実施例の装置内の不揮発性メモリ上に所定の値（例えば３０秒）を設定し参照しても良い。あるいは、再エンコードダビング設定操作時間長に応じて、遡る時間を調整しても良い。
以上のようにして、本発明の第三実施例では、再エンコードダビング設定操作によって視聴が中断されることによるユーザへの影響を低減することができる。
【００４４】
以上、本発明に係る視聴中ダビング制御装置の構成、及び分割再エンコードダビング制御方法について、実施の形態に基づいて説明したが、本発明はこれら実施の形態に限られないことは勿論である。
即ち、
（１）上記実施の形態では、分割して行なうダビングの形式については、再エンコードダビングであったが、これに限定されるものではなく、ＡＶコンテンツ視聴後のダビング形式はファイルコピー形式であってもよい。また、ＡＶコンテンツ視聴中の再エンコードダビングビットレートと、ＡＶコンテンツ視聴後の再エンコードダビングビットレートをそれぞれ任意に設定できる方式でも良い。
（２）上記実施の形態では、分割ダビングされるコンテンツは、視聴中の状態をダビングした前半部のコンテンツと、視聴後にダビングした後半部のコンテンツの２つであったが、これに限定されるものではなく、ダビング中の予約録画割り込み発生等により３つ以上に分割して行なってもよい。また、分割ダビング情報のコンテンツ識別子を可変長形式で任意の数分登録できる構成にしても良い。
（３）上記実施の形態では、
１つの録画再生装置内に２つの記録媒体が装着可能なシステムであったが、これに限定されるものではなく、記録媒体が単一の録画再生装置によって構成される２つ以上の記録媒体を備えた録画再生システムであっても良い。
（４）上記実施の形態では、記録媒体がDVD-RAMであったが、これに限定されるものではなく、例えば、Blu-ray Disc、DVD-R、DVD-RW、DVD+RW、CD-R、CD-RW、SDカード、PCカード、MO、MD、PD、スマートメディア、コンパクトフラッシュ（登録商標）、マルチメディアカード、メモリスティック等の記録可能なメディアであっても良い。
【産業上の利用可能性】
【００４５】
本発明にかかる分割再エンコードダビング制御機能を有する分割再エンコードダビング制御は、ホームサーバ−システムにおけるライブラリ管理装置として有用である。
【図面の簡単な説明】
【００４６】
【図１】本発明の実施の形態における視聴中ダビング制御装置の構成を示す図
【図２】本発明の実施の形態１における分割再エンコードダビング制御機能の構成を示す図
【図３】本発明の実施の形態２における分割再エンコードダビング制御機能とコンテンツ結合編集機能の構成を示す図
【図４】本発明の実施の形態２における分割再エンコードダビング制御機能と仮想プレイリスト情報を用いたコンテンツ結合編集機能の構成を示す図
【図５】本発明の実施の形態３における分割再エンコードダビング制御機能と再エンコードダビング設定操作時の再生制御機能の構成を示す図
【図６】本発明の実施の形態１における再エンコードダビングの従来例での課題の概要を示す図
【図７】本発明の実施の形態１における分割再エンコードダビング制御を行った場合の効果の概要を示す図
【図８】本発明の実施の形態１における分割再エンコードダビング制御において再エンコードダビング設定操作時の概要を示す図
【図９】本発明の実施の形態１における分割再エンコードダビング制御においてＡＶコンテンツ再生中の再エンコードダビング処理時の概要を示す図
【図１０】本発明の実施の形態１における分割再エンコードダビング制御においてＡＶコンテンツ再生終了後の補足ダビング処理時の概要を示す図
【図１１】本発明の実施の形態１における分割再エンコードダビング制御において再エンコードダビング設定操作画面の一例を示す図
【図１２】本発明の実施の形態２における分割再エンコードダビング制御でコンテンツ結合編集を行った場合の効果の概要を示す図
【図１３】本発明の実施の形態２における分割再エンコードダビング制御でコンテンツ結合編集を行った場合のコンテンツ構成状態の概要を示す図
【図１４】本発明の実施の形態２における分割再エンコードダビング制御で再エンコードダビング設定時の再生一時停止制御を行った場合の効果の概要を示す図
【図１５】本発明の実施の形態２における分割再エンコードダビング制御で再エンコードダビング設定時の再生一時停止後の再生開始位置を遡って設定した場合の効果の概要を示す図
【図１６】本発明の実施の形態１における分割再エンコードダビング制御処理のフローチャート
【図１７】本発明の実施の形態２における分割再エンコードダビング制御処理のフローチャート
【図１８】本発明の実施の形態１における分割ダビング情報の構造を示す図
【図１９】本発明の実施の形態１におけるＡＶコンテンツ管理情報の構造を示す図
【図２０】本発明の実施の形態１におけるＡＶコンテンツ管理情報の視聴中ダビング開始前後の状態を示す図
【図２１】本発明の実施の形態１におけるＡＶコンテンツ管理情報の視聴後ダビング完了時の状態を示す図
【図２２】本発明の実施の形態２における分割ダビング情報の状態を示す図
【図２３】本発明の実施の形態２におけるＡＶコンテンツ管理情報の結合編集完了時の状態を示す図
【図２４】本発明の実施の形態２におけるＡＶコンテンツ管理情報の仮想プレイリスト情報を用いた結合編集完了時の状態を示す図
【符号の説明】
【００４７】
１００  外部機器
１０１  リモコン
１０２  アンテナ
１０３  モニター
１１０  外部入出力
１１１  ユーザ入力
１１２  チューナー
１１３  エンコーダ
１１４  オーバーレイ
１１５  出力制御部
１１６  デコーダ
１１７  ＯＳＤ表示
１２０  バス
１３０  内蔵タイマー
１３１  ＣＰＵ
１３２  ＲＯＭ
１３３  ＲＡＭ
１３４  記録媒体
２００  再エンコードダビング設定手段
２０１  再生状態判断手段
２０２  分割再エンコードダビング制御手段
２０３  分割ダビング情報
２０４  再エンコードダビング手段
２０５  コンテンツ結合編集手段
２０６  仮想プレイリスト編集手段
２０７  再生ＰＡＵＳＥ手段
【図１】
2005341431.tif 000003
【図２】
2005341431.tif 000004
【図３】
2005341431.tif 000005
【図４】
2005341431.tif 000006
【図５】
2005341431.tif 000007
【図６】
2005341431.tif 000008
【図７】
2005341431.tif 000009
【図８】
2005341431.tif 000010
【図９】
2005341431.tif 000011
【図１０】
2005341431.tif 000012
【図１１】
2005341431.tif 000013
【図１２】
2005341431.tif 000014
【図１３】
2005341431.tif 000015
【図１４】
2005341431.tif 000016
【図１５】
2005341431.tif 000017
【図１６】
2005341431.tif 000018
【図１７】
2005341431.tif 000019
【図１８】
2005341431.tif 000020
【図１９】
2005341431.tif 000021
【図２０】
2005341431.tif 000022
【図２１】
2005341431.tif 000023
【図２２】
2005341431.tif 000024
【図２３】
2005341431.tif 000025
【図２４】
2005341431.tif 000026